(57)【要約】【課題】本発明は、高解像度の映像信号であっても音声信号との出力の時間ずれを緩和する表示制御装置の提供を目的とする。【解決手段】表示制御装置１００は、映像信号と音声信号が入力される信号入力部１０１と、音声信号を外部機器１２０に送信する音声送信部１０７と、映像信号を記憶装置に記憶する制御部１０４と、記憶装置に記憶された映像信号をディスプレイ１１０に出力する映像出力部１０９と、を備え、映像信号が記憶装置に記憶される時間により、ディスプレイ１１０での映像信号に基づく映像出力と外部機器１２０での音声信号に基づく音声出力との時間的ズレを抑制する。【選択図】図１
2019134353.tif 000002
【特許請求の範囲】
【請求項１】
映像信号と音声信号が入力される信号入力部と、
前記音声信号を外部機器に送信する音声送信部と、
前記映像信号を記憶装置に記憶する制御部と、
前記記憶装置に記憶された前記映像信号を、ディスプレイに出力する映像出力部と、を備え、
前記映像信号が前記記憶装置に記憶される時間により、前記ディスプレイでの前記映像信号に基づく映像出力と前記外部機器での前記音声信号に基づく音声出力との時間的ズレを抑制する、
表示制御装置。
【請求項２】
前記映像信号が前記記憶装置に記憶される時間は、前記音声送信部が前記音声信号を前記外部機器に送信してから前記外部機器での前記音声信号に基づく音声出力が行われるまでの時間に基づいて定められる、
請求項１に記載の表示制御装置。
【請求項３】
前記記憶装置を備える、
請求項１又は２に記載の表示制御装置。
【請求項４】
前記記憶装置は前記表示制御装置の外部の構成である、
請求項１又は２に記載の表示制御装置。
【請求項５】
前記記憶装置は補助記憶装置である、
請求項１から４のいずれか１項に記載の表示制御装置。
【発明の詳細な説明】
【技術分野】
【０００１】
この発明は、他の機器へ音声信号を伝送する通信機能を備えた表示制御装置に関する。
【背景技術】
【０００２】
外部から入力された映像信号および音声信号を出力する表示制御装置において、映像信号処理と音声信号処理の処理速度の違いから、映像出力と音声出力に時間的なズレが発生し、ユーザが違和感を覚えるという問題がある。
【０００３】
また近年では、Ｗｉ−Ｆｉ（登録商標）またはＢｌｕｅｔｏｏｔｈ（登録商標）等の小電力近距離無線通信を搭載した機器の普及が拡大しており、それに伴い、無線通信により外部機器と連携するテレビジョン受信機（以下、「テレビ」と称する）等の表示制御装置が増加してきている。無線通信または有線通信を問わず、音声信号を外部機器へ出力する場合、表示制御装置または外部機器の処理能力によっては、音声信号処理に時間を要し、映像出力と音声出力に時間的なズレが発生する場合がある。
【０００４】
このような課題を解決する手段として、例えば特許文献１では、サーバから管理対象の各端末までの伝送遅延時間を測定し、最も遅い伝送遅延時間にあわせて各端末の遅延時間を設定することが開示されている。
【０００５】
また、特許文献２では、外部機器とテレビのスピーカーの双方から音声を出力した状態で両出力を同期させることによって、外部機器の音声出力とテレビの映像出力を同期させる方法が開示されている。
【先行技術文献】
【特許文献】
【０００６】
【特許文献１】国際公開第２００９／０１１０８７号
【特許文献２】特開２０１３−１８７７６５号公報
【発明の概要】
【発明が解決しようとする課題】
【０００７】
しかしながら、映像出力を遅延させる場合、遅延時間に対応したフレーム数だけ映像信号をバッファする必要があるため、バッファ用に多大な空きメモリが必要となる。近年、表示制御装置の高解像度化に伴い映像信号１フレームあたりの情報量は増加しており、４Ｋテレビまたは８Ｋテレビなどの高解像度の表示制御装置では、１フレームあたりの情報量が従来の数倍である。そのため、映像出力と音声出力の時間的なズレを抑制するために必要な量の映像信号をバッファできないという問題があった。
【０００８】
本発明は、上述のような課題を解決するためになされたもので、高解像度の映像信号であっても音声信号との出力の時間ずれを緩和する表示制御装置の提供を目的とする。
【課題を解決するための手段】
【０００９】
本発明の表示制御装置は、映像信号と音声信号が入力される信号入力部と、音声信号を外部機器に送信する音声送信部と、映像信号を記憶装置に記憶する制御部と、記憶装置に記憶された映像信号を、ディスプレイに出力する映像出力部と、を備え、映像信号が記憶装置に記憶される時間により、ディスプレイでの映像信号に基づく映像出力と外部機器での音声信号に基づく音声出力との時間的ズレを抑制する。
【発明の効果】
【００１０】
本発明の表示制御装置によれば、記憶装置に映像信号を記憶した後にディスプレイに出力するため、外部機器に音声信号を送信することに伴う音声出力と映像出力の時間的なズレを緩和することができる。また、映像信号の記憶に記憶装置を用いるため、記憶装置の容量を大容量とすることで、高解像度の映像信号であっても、音声出力と映像出力の時間的なズレを緩和するために必要な量の映像信号を記憶することができる。
【図面の簡単な説明】
【００１１】
【図１】実施の形態１の表示システムの概略図である。
【図２】実施の形態１の表示システムの構成図である。
【図３】表示制御装置のハードウェア構成を示す図である。
【図４】表示制御装置のハードウェア構成を示す図である。
【図５】実施の形態１の表示制御装置の動作を示すフローチャートである。
【図６】実施の形態２の表示システムの概略図である。
【図７】実施の形態２の表示システムの構成図である。
【発明を実施するための形態】
【００１２】
＜Ａ．実施の形態１＞
＜Ａ−１．構成＞
図１は実施の形態１の表示システムの概略図であり、図２は実施の形態１の表示システムの構成図である。以下、図１，２に沿って実施の形態１の表示システムの構成を説明する。
【００１３】
実施の形態１の表示システムは、表示制御装置１００と外部機器１２０を備える。表示制御装置１００は映像を表示するディスプレイ１１０を備える。表示制御装置１００は、例えばテレビである。その他、表示制御装置１００は、信号入力部１０１、音声信号処理部１０２、映像信号処理部１０３、制御部１０４、音声出力部１０５、本体スピーカー１０６、音声送信部１０７、大容量記憶装置１０８および映像出力部１０９を備えている。
【００１４】
制御部１０４は、内部または外部からの信号入力を受け、その信号に応じて表示制御装置１００の他の構成を制御するための制御信号を出力する。
【００１５】
信号入力部１０１には、表示制御装置１００の外部機器から映像音声信号が入力される。本明細書では、映像信号と音声信号をまとめて映像音声信号と称する。信号入力部１０１は、映像音声信号を制御部１０４に出力する。
【００１６】
映像信号処理部１０３は、信号入力部１０１から入力された映像信号を、制御部１０４から入力された制御信号に基づいて処理し、映像出力部１０９に出力する。映像出力部１０９は、制御部１０４から入力された制御信号に基づいて、映像信号処理部１０３から入力された映像信号をディスプレイ１１０へ出力する。
【００１７】
大容量記憶装置１０８は、制御部１０４から入力された制御信号に基づいて、信号入力部１０１から入力された映像信号を記憶する。大容量記憶装置１０８は、ＨＤＤ（Hard Disk Drive）、ＳＤ（Secure Digital）メモリーカード、またはＵＳＢ（Universal Serial Bus）メモリ等の補助記憶装置により構成される。
【００１８】
音声信号処理部１０２は、信号入力部１０１から入力された音声信号を、制御部１０４から入力された制御信号に基づいて処理し、音声出力部１０５および音声送信部１０７へ出力する。音声出力部１０５は、制御部１０４から入力された制御信号に基づいて、音声信号処理部１０２から入力された音声信号を本体スピーカー１０６へ出力する。音声送信部１０７は、無線通信または有線通信に対応した通信インタフェースであり、制御部１０４から入力された制御信号に基づいて、音声信号処理部１０２から入力された音声信号を外部機器１２０に送信する。
【００１９】
外部機器１２０は、表示制御装置１００の音声送信部１０７から送出された音声信号を受信する受信部１２１と、受信部１２１で受信した音声信号に基づき音声を出力するスピーカー１２２とを備えている。受信部１２１は、無線通信または有線通信に対応した通信インタフェースである。図１では、表示制御装置１００と外部機器１２０が無線接続された様子を示しているが、これは一例である。両者は有線または無線を問わず接続され、音声信号の送受信が可能であれば良い。
【００２０】
上記で説明した構成のうち、音声信号処理部１０２、映像信号処理部１０３、制御部１０４、音声出力部１０５および映像出力部１０９（以下、「制御部１０４等」と称する）は、図３に示す処理回路８１により実現される。すなわち、処理回路８１は制御部１０４等を備える。処理回路８１には、専用のハードウェアが適用されても良いし、メモリに格納されるプログラムを実行するプロセッサが適用されても良い。プロセッサは、例えばＣＰＵ（Central Processing Unit）、処理装置、演算装置、マイクロプロセッサ、マイクロコンピュータまたはＤＳＰ（Digital Signal Processor）等である。
【００２１】
処理回路８１が専用のハードウェアである場合、処理回路８１は、例えば、単一回路、複合回路、プログラム化したプロセッサ、並列プログラム化したプロセッサ、ＡＳＩＣ（Application Specific Integrated Circuit）、ＦＰＧＡ（Field-Programmable Gate Array）、またはこれらを組み合わせたものが該当する。制御部１０４等の各部の機能それぞれは、複数の処理回路８１で実現されてもよいし、各部の機能をまとめて一つの処理回路で実現されてもよい。
【００２２】
処理回路８１がプロセッサである場合、制御部１０４等の機能は、ソフトウェア等（ソフトウェア、ファームウェアまたはソフトウェアとファームウェア）との組み合わせにより実現される。ソフトウェア等はプログラムとして記述され、メモリに格納される。図４に示すように、処理回路８１に適用されるプロセッサ８２は、ＲＡＭ（Random Access Memory）等のメモリ８３に記憶されたプログラムを読み出して実行することにより、各部の機能を実現する。
【００２３】
以上、制御部１０４等の各機能が、ハードウェア及びソフトウェア等のいずれか一方で実現される構成について説明した。しかしこれに限ったものではなく、制御部１０４等の一部を専用のハードウェアで実現し、別の一部をソフトウェア等で実現する構成であってもよい。
【００２４】
＜Ａ−２．動作＞
次に、図５を用いて表示制御装置１００による映像音声信号の出力制御について説明する。図５は、表示制御装置１００による映像音声信号の出力制御のフローチャートであり、ディスプレイ１１０へ映像信号を、外部機器１２０へ音声信号を出力する動作について示している。なお、表示制御装置１００は映像音声信号の出力制御の他、外部からの入力信号を制御する表示制御装置として基本的な機能を備えているが、この機能は周知の一般的な制御方法と同様であるため説明を省略する。
【００２５】
信号入力部１０１が、表示制御装置１００の外部から映像音声信号の入力を受けると（ステップＳ１）、表示制御装置１００による映像音声信号の出力制御が開始する。まず、制御部１０４は、表示制御装置１００の内部記憶装置（図２に図示せず）に記録された設定値に基づいて映像音声信号を制御し、設定値に応じた映像信号処理および音声信号処理の制御信号を、それぞれ音声信号処理部１０２と映像信号処理部１０３へと送出する。
【００２６】
制御部１０４から制御信号を受け取った音声信号処理部１０２は、制御信号に含まれる設定値に基づく音声信号処理を実施した後、制御内容に応じて音声信号を出力する（ステップＳ２）。音声信号の出力先は制御内容に応じている。制御内容が「本体スピーカー１０６への音声信号出力あり、かつ外部機器１２０への音声信号出力あり」の場合、音声信号処理部１０２は音声出力部１０５および音声送信部１０７へ音声信号を出力する。また、制御内容が「本体スピーカー１０６への音声信号出力あり、かつ外部機器１２０への音声信号出力なし」の場合、音声信号処理部１０２は音声出力部１０５へのみ音声信号を出力する。また、制御内容が「本体スピーカー１０６への音声信号出力なし、かつ外部機器１２０への音声信号出力あり」の場合、音声信号処理部１０２は音声送信部１０７へのみ音声信号を出力する。
【００２７】
ここでは、外部機器１２０への音声信号出力ありの制御の場合を説明する。この場合、制御部１０４は、大容量記憶装置１０８にｎ（＝１）フレーム目の映像信号を記憶、すなわちｎフレーム目の映像を録画する（ステップＳ３）。そして、制御部１０４はｎをインクリメントし（ステップＳ４）、ｎを遅延時間設定値と比較する（ステップＳ５）。ｎが遅延時間設定値未満であれば（ステップＳ５においてＮＯ）、制御部１０４はｎフレーム目の映像の録画（ステップＳ３）とｎのインクリメント（ステップＳ４）を、ｎが遅延時間設定値を超えるまで繰り返す。なお、遅延時間設定値とは、例えば表示制御装置１００の音声送信部１０７から外部機器１２０へ音声信号を送信してから外部機器１２０で音声信号に基づく音声が出力されるまでの時間を遅延時間とし、既知の技術で測定された遅延時間を、映像信号のフレームレートを基にフレーム数に換算して得られる値であり、表示制御装置１００の内部記憶装置（図２に図示せず）に記録されている。
【００２８】
制御部１０４は、ｎが遅延時間設定値以上であると判断すると（ステップＳ５においてＹＥＳ）、大容量記憶装置１０８から映像信号処理部１０３にｉ（＝１）フレーム目の映像信号を出力させる。大容量記憶装置１０８からｉフレーム目の映像信号を受け取った映像信号処理部１０３は、制御信号に含まれる設定値に基づく映像信号処理を実施した後、映像出力部１０９へ映像信号を出力する。映像信号処理部１０３から映像信号を受け取った映像出力部１０９は、ディスプレイ１１０へ映像信号を出力し、こうしてｉフレーム目の映像がディスプレイ１１０で再生される（ステップＳ６）。このように、ｉフレーム目の映像信号は、大容量記憶装置１０８に遅延時間だけバッファされた後、ディスプレイ１１０で再生される。さらに制御部１０４は、大容量記憶装置１０８にｎフレーム目の映像を録画した後（ステップＳ７）、ｎとｉをインクリメントし（ステップＳ８）、映像信号の入力が終了したか否かを判断する（ステップＳ９）。
【００２９】
表示制御装置１００は、映像信号の入力が終了するまでステップＳ６からステップＳ８を繰り返す。制御部１０４は、ステップＳ９で映像信号の入力が終了したと判断すると、大容量記憶装置１０８から映像信号処理部１０３にｉフレーム目の映像信号を出力させる。大容量記憶装置１０８からｉフレーム目の映像信号を受け取った映像信号処理部１０３は、制御信号に含まれる設定値に基づく映像信号処理を実施した後、映像出力部１０９へ映像信号を出力する。映像信号処理部１０３から映像信号を受け取った映像出力部１０９は、ディスプレイ１１０へ映像信号を出力し、こうしてｉフレーム目の映像がディスプレイ１１０で再生される（ステップＳ１０）。その後、制御部１０４はｉをインクリメントし、大容量記憶装置１０８に記憶した映像信号（以下、「録画映像信号」と称する）の出力が完了したか否かを判断する（ステップＳ１２）。
【００３０】
表示制御装置１００は、録画映像信号の出力が完了するまで、ステップＳ１０とステップＳ１１を繰り返す。制御部１０４がステップＳ１２で録画映像信号の出力が完了したと判断すると、表示制御装置１００は映像音声信号の出力制御処理を終了する。
【００３１】
＜Ａ−３．効果＞
実施の形態１の表示制御装置１００は、映像信号と音声信号が入力される信号入力部１０１と、音声信号を外部機器に送信する音声送信部１０７と、映像信号を大容量記憶装置１０８に記憶する制御部１０４と、大容量記憶装置１０８に記憶された映像信号を、ディスプレイ１１０に出力する映像出力部１０９と、を備える。そして、映像信号が大容量記憶装置１０８に記憶される時間により、ディスプレイ１１０での映像信号に基づく映像出力と外部機器１２０での音声信号に基づく音声出力との時間的ズレが抑制される。このように、表示制御装置１００は映像信号を大容量記憶装置１０８に一旦バッファしてから出力するため、ディスプレイ１１０で表示される映像と外部機器１２０のスピーカー１２２で再生される音声との時間的なズレを、ユーザが違和感を覚えない程度に小さくし、品位の高い視聴を実現することが可能となる。また、映像信号のバッファに大容量記憶装置１０８を用いるため、長時間のバッファが可能となり、高解像度の映像信号にも対応することができる。
【００３２】
表示制御装置１００には、大容量記憶装置１０８として例えばＨＤＤ等を内蔵した、録画機能を有するテレビを用いることができる。これにより、＜Ａ−２＞で説明した映像信号の録画機能の実装に必要となる開発工数と新たな部品の増加を減らすことができるため、安価かつ容易に表示制御装置１００を実現することができる。
【００３３】
＜Ｂ．実施の形態２＞
＜Ｂ−１．構成＞
図６は実施の形態２の表示システムの概略図であり、図７は実施の形態２の表示システムの構成図である。以下、図６，７に沿って実施の形態２の表示システムの構成を説明する。
【００３４】
実施の形態２の表示システムは、表示制御装置２００、ディスプレイ２０１、大容量記憶装置２０２、および外部機器１２０を備える。実施の形態２の表示システムは、実施の形態１の表示システムの表示制御装置１００に代えて表示制御装置２００、ディスプレイ２０１および大容量記憶装置２０２を備えたものである。実施の形態１では、表示制御装置１００がディスプレイ１１０と大容量記憶装置１０８を内蔵するが、実施の形態２では、ディスプレイ２０１と大容量記憶装置２０２が表示制御装置２００と別体、すなわち表示制御装置２００の外部の構成となる。それ以外の点で、実施の形態２の表示システムは実施の形態１の表示システムと同様である。図６および図７において、実施の形態１と同一の構成要素には同一の参照符号が付されている。
【００３５】
なお、図６および図７では、表示制御装置２００とディスプレイ２０１を別体として示しているが、これらが同一の筐体で構成されていても良い。
【００３６】
＜Ｂ−２．効果＞
実施の形態２の表示システムによれば、大容量記憶装置２０２が表示制御装置２００の外部の構成であるため、表示制御装置２００に大容量記憶装置を実装する必要がない。そのため、例えば、外部接続されたＨＤＤ等の大容量記憶装置への録画機能を有するテレビを用いて、表示制御装置２００を実現することが可能である。近年のテレビの大半は、外部接続された大容量記憶装置への録画機能を有しているため、そのようなテレビを用いて、安価かつ容易に表示制御装置２００を実現することが可能である。
【００３７】
なお、本発明は、その発明の範囲内において、各実施の形態を自由に組み合わせたり、各実施の形態を適宜、変形、省略したりすることが可能である。
【符号の説明】
【００３８】
８１  処理回路、８２  プロセッサ、８３  メモリ、１００，２００  表示制御装置、１０１  信号入力部、１０２  音声信号処理部、１０３  映像信号処理部、１０４  制御部、１０５  音声出力部、１０６  本体スピーカー、１０７  音声送信部、１０８，２０２  大容量記憶装置、１０９  映像出力部、１１０，２０１  ディスプレイ、１２０  外部機器、１２１  受信部、１２２  スピーカー。
【図１】
2019134353.tif 000003
【図２】
2019134353.tif 000004
【図３】
2019134353.tif 000005
【図４】
2019134353.tif 000006
【図５】
2019134353.tif 000007
【図６】
2019134353.tif 000008
【図７】
2019134353.tif 000009